(57)【要約】【課題】頭髪への装着が容易であり、かつ、頭髪の間から脱落しにくい上、長期間に亘って装着された場合でも頭髪を傷めることのない実用的な装飾用髪止め具を提供する。【解決手段】装飾用髪止め具１は、頭髪を纏めた状態で保持するための髪保持体２と、装飾体５，５・・が鏤められており髪保持体２の基端に固着された装飾部３とによって構成されている。髪保持体２は、鉄条をロジウムでメッキしてなる針金をＵ字状（馬蹄形状）に折り曲げることによって形成されており、基端から先端にかけて次第に幅狭になっている。そして、髪保持体２の先端際の部分（針金の両端際の部分）は、約１０ｍｍの間隔でジグザグに折り曲げられている。【選択図】図１
0003136765.tif 000002
【実用新案登録請求の範囲】
【請求項１】
頭髪を纏めた状態で保持するための髪保持体と、髪保持体の基端に固着された装飾部とを有する装飾用髪止め具であって、
前記髪保持体が、金属製の針金をＵ字状に折り曲げ形成してなるものであり、基端から先端にかけて次第に幅狭になっているとともに、
前記Ｕ字状の針金の両端際の部分が、長手方向に沿った中心線に対して左右対称となるように、所定の間隔でジグザグに折り曲げられていることを特徴とする装飾用髪止め具。
【請求項２】
髪保持体が長手方向に沿った鉛直面において外向きに突出するように円弧状に屈曲していることを特徴とする請求項１に記載の装飾用髪止め具。
【請求項３】
髪保持体を構成するＵ字状の針金の両端が同一面内において外向きに折り曲げられていることを特徴とする請求項１、または請求項２に記載の装飾用髪止め具。
【考案の詳細な説明】
【技術分野】
【０００１】
本考案は、頭髪を纏めた状態で保持するための髪止め具に関するものであり、詳しくは、頭髪を装飾するための装飾部分を有する装飾用髪止め具に関するものである。
【背景技術】
【０００２】
従来の装飾用髪止め具としては、頭髪を任意の形状に纏めた状態で保持するための髪保持部の基端に装飾部材を設けたものが知られている。また、従来の装飾用髪止め具の中には、特許文献１の如く、複数の棒状の櫛歯を平行に並べることによって髪保持部を形成したものが多いが、纏めた頭髪の間から脱落しないようにするために、左右に鋸刃状の凹凸を設けた刀身状の櫛歯を平行に並べることによって髪保持部を形成した装飾用髪止め具も考案されている（特許文献２）。
【特許文献１】特開平９−２９９１３１号公報
【特許文献２】実用新案登録第３１１４６２２号公報
【考案の開示】
【考案が解決しようとする課題】
【０００３】
しかしながら、上記特許文献２の如く、各櫛歯に鋸刃状の凹凸を設けた装飾用髪止め具は、頭髪の間から脱落しにくい半面、各櫛歯に設けられた鋸刃状の凹凸により、各櫛歯を頭髪内に差し込みにくいため（各櫛歯間に頭髪を挿入させにくいため）、装着に手間がかかる、という不具合がある。その上、各櫛歯に設けられた鋸刃状の凹凸により、頭髪が傷み易く、長期間に亘って頭髪に装着された場合には、その傾向がより顕著なものとなってしまう。
【０００４】
本考案の目的は、上記従来の装飾用髪止め具が有する問題点を解消し、頭髪への装着が容易であり、かつ、頭髪の間から脱落しにくい上、長期間に亘って装着された場合でも頭髪を傷めることのない実用的な装飾用髪止め具を提供することにある。
【課題を解決するための手段】
【０００５】
かかる本考案の内、請求項１に記載された考案は、頭髪を纏めた状態で保持するための髪保持体と、髪保持体の基端に固着された装飾部とを有する装飾用髪止め具であって、前記髪保持体が、金属製の針金をＵ字状に折り曲げ形成してなるものであり、基端から先端にかけて次第に幅狭になっているとともに、前記Ｕ字状の針金の両端際の部分が、長手方向に沿った中心線に対して左右対称となるように、所定の間隔でジグザグに（連続する屈曲点おける屈曲方向が時計回りにプラスの方向、反時計回りにプラスの方向、時計回りにプラスの方向・・・となるように）折り曲げられていることを特徴とするものである。
【０００６】
請求項２に記載された考案は、請求項１に記載された考案において、髪保持体が長手方向に沿った鉛直面において外向きに突出するように円弧状に屈曲していることを特徴とするものである。
【０００７】
請求項３に記載された考案は、請求項１、または請求項２に記載された考案において、髪保持体を構成するＵ字状の針金の両端が  同一面内において外向きに折り曲げられていることを特徴とするものである。
【考案の効果】
【０００８】
請求項１に記載された装飾用髪止め具は、Ｕ字状に折り曲げられた針金によって髪保持体が構成されており、髪保持体の先端部分（針金の両端部分）を頭髪の間にスムーズに差し込むことができるので、非常に装着し易い。また、髪保持体が、基端から先端にかけて次第に幅狭になっており、かつ、髪保持体を構成するＵ字状の針金の両端際の部分が、所定の間隔でジグザグに折り曲げられているため、髪保持体の間に入り込んだ頭髪が高い拘束力で把持されて頭髪の間から脱落しにくい上、長期間に亘って頭髪を任意の形状に纏めた状態で保持することができる。さらに、髪保持体を構成するＵ字状の針金が、鋭利な凹凸を有していないので、長期間に亘って装着された場合でも、頭髪が傷んだりしない。
【０００９】
請求項２に記載された装飾用髪止め具は、髪保持体が長手方向に沿った鉛直面において外向きに突出するように円弧状に屈曲しているので、頭髪に装着した場合に良好なフィット感を得ることができる。
【００１０】
請求項３に記載された装飾用髪止め具は、髪保持体を構成するＵ字状の針金の両端が  同一面内において外向きに折り曲げられているため、Ｕ字状の針金の先端同士の間から基端側へ非常にスムーズに頭髪が挿入されるので、頭髪への装着がきわめて容易である。その上、髪保持体を構成する針金の先端が頭皮に垂直に押し当てられる事態が生じないので、頭髪への装着時に痛みや不快感を感じたりしない。
【考案を実施するための最良の形態】
【００１１】
以下、本考案の装飾用髪止め具の一実施形態を、図面にしたがって詳細に説明する。図１、図２は、それぞれ、装飾用髪止め具の正面図、斜視図であり、装飾用髪止め具１は、頭髪を纏めた状態で保持するための髪保持体２と、髪保持体２の基端に固着された装飾部３とによって構成されている。
【００１２】
図３〜図５は、それぞれ、髪保持体２の正面図、左側面図、底面図である。髪保持体２は、鉄条をロジウムでメッキしてなる太さが約２．５ｍｍの針金をＵ字状（馬蹄形状）に折り曲げることによって形成されており、長さ約１０４ｍｍ×幅約４１ｍｍの大きさを有している。そして、基端（針金の屈曲部分）から先端（針金の先端部分）にかけて次第に幅狭になっている。
【００１３】
また、髪保持体２は、長手方向に沿った鉛直面において、外向きに突出するように円弧状に屈曲した状態になっている（図４参照）。そして、図３の如く、基端の屈曲部分を除いた部分が、約１０ｍｍの間隔で、外向き（図３における中心線Ａ−Ａに対して外向き）、内向き、外向き・・・の順に７回に亘って交互に折り曲げられており（谷折りと山折りが連続するようにジグザグに折り曲げられており）、隣り合った折り曲げ部分同士（外向きの折り曲げ部分と内向きの折り曲げ部分）が約１５０度の角度を成した状態になっている（図３参照）。そして、先端際の部分に、それぞれ、外向きに凸状の３つの髪係止屈曲部７，７・・が形成された状態になっている。また、先端の部分（針金の両端の部分）は、同一面内（図３における紙面内）において、互いに外向きに折り曲げられた状態になっている。
【００１４】
加えて、髪保持体２の基端側の表面（凸状に形成されている面）には、マット加工（表面を粗くする加工）が施されており、ロジウムメッキが部分的に剥離した状態になっている（したがって、そのロジウムメッキが剥離した部分は、他の部分と異なる金属色を呈している）。
【００１５】
一方、装飾部３は、複数の装飾体（ガラス等によって形成された模造宝石等）５，５・・と、それらの装飾体５，５・・を支持するための支持台６とによって構成されている。支持台６は、髪保持体２と同様に、鉄によって形成されており、表面がロジウムによってメッキされている。それゆえ、支持台６は髪保持体２と同色になっている。また、支持台６の表面には、装飾体５，５・・を接着するための平坦部分（図示せず）が多数形成されており、それらの平坦部分に装飾体５，５・・が接着された状態になっている。そして、そのように装飾体５，５・・を鏤めた支持台６は、裏側の部分を髪保持体２の基端の屈曲部分の表面に溶接することによって、髪保持体２と一体になっている。
【００１６】
上記の如く構成された装飾用髪止め具１の使用態様の一例について説明する。たとえば、後部の頭髪を上方に巻き上げた所謂「夜会巻き」状態で保持したい場合には、まず、頭髪を一つに束ね、その束ねた頭髪を回転させながら根元から毛先に至るまで十分に捻り上げる。次に、装飾用髪止め具１を裏返しに把持して、髪保持体２の先端側の部分を、捻り上げた頭髪内に、毛先側から根元側まで十分に差し込む。しかる後、髪保持体２の先端位置をできるだけずらさないようにしながら装飾部３を持ち上げるようにして、装飾用髪止め具１を表向きにひっくり返す。そして、最後に、髪保持体２の先端側の部分を、再度、捻り上げた頭髪内に、毛先側から根元側まで十分に差し込むことによって装飾用髪止め具１の頭髪への装着を完了する。そのように髪保持体２の先端側の部分が頭髪内に差し込まれると、髪保持体２の間に入り込んだ頭髪が適度な拘束力で把持されて、後部の頭髪が上方に巻き上げられた「夜会巻き」状態で強固に保持される。
【００１７】
装飾用髪止め具１は、上記の如く、髪保持体２が、金属製の針金をＵ字状に折り曲げ形成してなるものであり、基端から先端にかけて次第に幅狭になっているとともに、Ｕ字状の針金の両端際の部分が、長手方向に沿った中心線に対して左右対称となるように、所定の間隔でジグザグに折り曲げられているため、髪保持体２の先端側の部分を頭髪の間にスムーズに差し込むことができるので、非常に装着し易い。また、髪保持体２の間に入り込んだ頭髪が高い拘束力で把持されるため、頭髪の間から脱落しにくく、長期間に亘って頭髪を任意の形状に纏めた状態で保持することができる。さらに、髪保持体２に鋭利な凹凸が形成されていないので、長期間に亘って装着された場合でも、頭髪が傷んだりしない。
【００１８】
また、装飾用髪止め具１は、髪保持体２が長手方向に沿った鉛直面において外向きに突出するように円弧状に屈曲しているので、頭髪に装着した場合に良好なフィット感を得ることができる。
【００１９】
さらに、装飾用髪止め具１は、髪保持体２を構成するＵ字状の針金の両端が同一面内において外向きに折り曲げられているため、Ｕ字状の針金の両端同士の間から基端側へ非常にスムーズに頭髪が挿入されるので、頭髪への装着がきわめて容易である。その上、髪保持体２を構成する針金の先端が頭皮に垂直に押し当てられる事態が生じないので、頭髪への装着時に痛みや不快感を感じたりしない。
【００２０】
なお、本考案の装飾用髪止め具の構成は、上記した実施の形態に何ら限定されるものではなく、髪保持体や装飾部の材質、形状、構造等の構成を、本考案の趣旨を逸脱しない範囲内で適宜変更することができる。
【００２１】
たとえば、髪保持体（Ｕ字状の針金）や支持台の材質は、鉄に限定されず、チタン、銅、アルミニウムやステンレス等の別の金属に変更することも可能である。加えて、表面にメッキする金属も、ロジウムに限定されず、ニッケルや銅等に変更することが可能である。なお、上記実施形態の如く、髪保持体や支持台を、表面をロジウムメッキした鉄によって形成した場合には、金属アレルギーの使用者が使用してもアレルギー反応が出にくい、というメリットがある。
【００２２】
また、髪保持体の先端側に形成するジグザグな折り曲げのピッチは、上記実施形態の如き１０ｍｍピッチに限定されず、必要に応じて適宜変更することが可能である。さらに、折り曲げの個数も、上記実施形態の如き７個に限定されず、適宜変更することが可能である。加えて、折り曲げ度合いも、上記実施形態の如く、隣り合った折り曲げ部分同士が約１５０度を成すような態様に限定されず、隣り合った折り曲げ部分同士が１２０度以上１６０度以下の角度を成す範囲内で、必要に応じて適宜変更することができる。なお、上記実施形態の如く、髪保持体の先端側の折り曲げのピッチを約１０ｍｍ間隔とし、折り曲げの個数を７個とするとともに、隣り合った折り曲げ部分同士が１２０度以上１６０度以下の角度を成すように折り曲げた場合には、髪保持体の間に入り込んだ頭髪の拘束力が高すぎたり低すぎたりせず、非常にバランスの良いものとなり、装飾用髪止め具の使用感がきわめて良好なものとなる、というメリットがある。
【００２３】
加えて、装飾部は、支持台に模造宝石を鏤めたものに限定されず、本物の宝石を取り付けたものや、造花等を取り付けたもの等に変更することも可能である。加えて、装飾部の形状は、必要に応じて適宜変更することができる。
【産業上の利用可能性】
【００２４】
本考案の装飾用髪止め具は、上記の如く優れた機能を奏するものであるので、頭髪の装飾目的を兼ねた髪止め部材として好適に用いることができる。
【図面の簡単な説明】
【００２５】
【図１】装飾用髪止め具の正面図である。
【図２】装飾用髪止め具の斜視図である。
【図３】髪保持体の正面図である。
【図４】髪保持体の左側面図である。
【図５】髪保持体の底面図である。
【符号の説明】
【００２６】
１・・装飾用髪止め具、２・・髪保持体、３・・装飾部。
【図１】
0003136765.tif 000003
【図２】
0003136765.tif 000004
【図３】
0003136765.tif 000005
【図４】
0003136765.tif 000006
【図５】
0003136765.tif 000007